(57)【特許請求の範囲】
【請求項１】
基地局は、ユーザ機器からプリアンブル（ｐｒｅａｍｂｌｅｅ）信号を受信するステップと、
前記基地局は、前記ｐｒｅａｍｂｌｅｅ信号内の各シンボルグループを送信することにより占有される周波数領域チャネルのチャネル推定値を決定するステップと、
前記基地局は、前記ｐｒｅａｍｂｌｅｅ信号を送信するために使用される周波数ホッピングパターンに基づいて、各シンボルグループに対応するチャネル推定値に対して共役乗算を実行して第１ラジアン値を得、また、前記第１ラジアン値に基づいて、前記ユーザ機器のアップリンク同期タイミング偏差を決定するステップとを備え、
前記周波数領域チャネルのチャネル推定値は、前記ｐｒｅａｍｂｌｅｅ信号の各シンボルグループ内の周波数領域ＡＧＣ処理後のＯＦＤＭシンボルに対応する周波数領域データの平均値であり、
前記基地局が、前記ｐｒｅａｍｂｌｅｅ信号を送信するために使用される周波数ホッピングパターンに基づいて、各シンボルグループに対応するチャネル推定値に対して共役乗算を実行して第１ラジアン値を得る場合、
前記基地局は、前記周波数ホッピングパターンに基づいて、前記ｐｒｅａｍｂｌｅｅ信号内の任意の２つの周波数ホッピング間隔がＮ個のサブキャリアであるシンボルグループのチャネル推定値に対して共役乗算を実行して少なくとも２つの結果を得、得られた少なくとも２つの共役乗算の結果を合計して、第２ラジアン値を得、ここで、前記Ｎは正の整数であり、
前記基地局は、前記周波数ホッピングパターンに基づいて、前記ｐｒｅａｍｂｌｅｅ信号内の任意の２つの周波数ホッピング間隔がＨ個のサブキャリアであるシンボルグループのチャネル推定値に対して共役乗算を実行してに対して共役乗算を実行して少なくとも２つの結果を得、前記ｐｒｅａｍｂｌｅｅ信号内の任意の２つの周波数ホッピング間隔がＨ個のサブキャリアであるシンボルグループのチャネル推定値に対して共役乗算を実行して少なくとも２つの結果を得、得られた少なくとも２つの共役乗算の結果を合計して、第３ラジアン値を得、ここで、前記Ｈは正の整数であり、前記ＮはＨより小さい、
前記基地局は、前記第２ラジアン値と前記第３ラジアン値を合計して前記第１ラジアン値を得、
前記基地局が、前記第１ラジアン値に基づいて、前記ユーザ機器のアップリンク同期タイミング偏差を決定する前に、さらに、
前記基地局は、前記第３ラジアン値を変換することによって得られた角度値に対して位相補償を行い、位相補償後の前記第３ラジアン値を変換することによって得られた角度値が次の式を満たし、
【数１】
0006824442.tif 000079
、
ここで、
【数２】
0006824442.tif 000080
は、位相補償後の前記第３ラジアン値を変換することによって得られた角度値を表し、
【数３】
0006824442.tif 000081
は前記第３ラジアン値を表し、
【数４】
0006824442.tif 000082
は前記第２ラジアン値を変換することによって得られた角度値を表すことを特徴とするアップリンク同期タイミング偏差を決定するための方法。
【請求項２】
前記アップリンク同期タイミング偏差は、次の式を満たし、
【数５】
0006824442.tif 000083
ここで、ＴＡは前記アップリンク同期タイミング偏差を表し、
【数６】
0006824442.tif 000084
は前記第２ラジアン値を変換することによって得られた角度値を表し、
【数７】
0006824442.tif 000085
は前記第３ラジアン値を変換することによって得られた角度値を表し、
【数８】
0006824442.tif 000086
は前記ｐｒｅａｍｂｌｅｅ信号に対してフーリエ変換（ＦＦＴ）を実行するポイント数であることを特徴とする請求項１に記載のアップリンク同期タイミング偏差を決定するための方法。
【請求項３】
基地局が、ユーザ機器からプリアンブル（ｐｒｅａｍｂｌｅｅ）信号を受信する場合、
前記基地局は、前記ユーザ機器によって繰り返し送信されたいくつかの前記ｐｒｅａｍｂｌｅｅ信号を受信し、
前記基地局が、前記ｐｒｅａｍｂｌｅ信号を送信するために使用される周波数ホッピングパターンに基づいて、各シンボルグループに対応するチャネル推定値に対し共役乗算して第１ラジアン値を得た後、さらに、
前記基地局は、繰り返し送信された前記いくつかの前記ｐｒｅａｍｂｌｅｅ信号の前記第１ラジアン値の第１平均値を決定し、前記第１平均値に基づいて前記ユーザ機器のアップリンク同期タイミング偏差を決定することを特徴とする請求項１に記載のアップリンク同期タイミング偏差を決定するための方法。
【請求項４】
基地局が、ユーザ機器からプリアンブル（ｐｒｅａｍｂｌｅｅ）信号を受信する場合、
前記基地局は、複数のアンテナを介してユーザー機器から送信されたプリアンブル信号を受信し、
前記基地局は、前記ｐｒｅａｍｂｌｅｅ信号を送信するために使用される周波数ホッピングパターンに基づいて、各シンボルグループに対応するチャネル推定値に対し共役乗算して第１ラジアン値を得た後、
前記基地局は、複数のアンテナを介して送信された前記ｐｒｅａｍｂｌｅ信号の前記第１ラジアン値の第２平均値を決定し、前記第２平均値に基づいてユーザー機器のアップリンク同期タイミング偏差を決定することを特徴とする請求項１から請求項３のいずれか１項に記載のアップリンク同期タイミング偏差を決定するための方法。
【請求項５】
ユーザ機器からプリアンブル（ｐｒｅａｍｂｌｅｅ）信号を受信するための受信モジュールと、
受信モジュールによって受信されたｐｒｅａｍｂｌｅｅ信号内の各シンボルグループを送信することによって占有される周波数領域チャネルのチャネル推定値を決定し、前記ｐｒｅａｍｂｌｅｅ信号を送信するために使用される周波数ホッピングパターンに基づいて、各シンボルグループに対応するチャネル推定値に対して共役乗算を実行して第１ラジアン値を得、また、前記第１ラジアン値に基づいて、前記ユーザ機器のアップリンク同期タイミング偏差を決定するための決定モジュールとを備え、
前記周波数領域チャネルのチャネル推定値は、前記ｐｒｅａｍｂｌｅｅ信号の各シンボルグループ内の周波数領域ＡＧＣ処理後のＯＦＤＭシンボルに対応する周波数領域データの平均値であり、
前記決定モジュールが、前記ｐｒｅａｍｂｌｅｅ信号を送信するために使用される周波数ホッピングパターンに基づいて、各シンボルグループに対応するチャネル推定値に対して共役乗算を実行して第１ラジアン値を得る場合、
前記周波数ホッピングパターンに基づいて、前記ｐｒｅａｍｂｌｅｅ信号内の任意の２つの周波数ホッピング間隔がＮ個のサブキャリアであるシンボルグループのチャネル推定値に対して共役乗算を実行して少なくとも２つの結果を得、得られた少なくとも２つの共役乗算の結果を合計して、第２ラジアン値を得、ここで、前記Ｎは正の整数であり、
前記周波数ホッピングパターンに基づいて、前記ｐｒｅａｍｂｌｅｅ信号内の任意の２つの周波数ホッピング間隔がＨ個のサブキャリアであるシンボルグループのチャネル推定値に対して共役乗算を実行してに対して共役乗算を実行して少なくとも２つの結果を得、前記ｐｒｅａｍｂｌｅｅ信号内の任意の２つの周波数ホッピング間隔がＨ個のサブキャリアであるシンボルグループのチャネル推定値に対して共役乗算を実行して少なくとも２つの結果を得、得られた少なくとも２つの共役乗算の結果を合計して、第３ラジアン値を得、ここで、前記Ｈは正の整数であり、前記ＮはＨより小さく、
前記第２ラジアン値と前記第３ラジアン値を合計して前記第１ラジアン値を得、
前記決定モジュールが前記第１ラジアン値に基づいて前記ユーザ機器のアップリンク同期タイミング偏差を決定する前に、前記決定モジュールによって決定された前記第３ラジアン値を変換することによって得られた角度値に対し位相補償を実行するための位相補償モジュールをさらに備え、
位相補償後の前記第３ラジアン値を変換することによって得られた角度値が次の式を満たし、
【数９】
0006824442.tif 000087
、
ここで、
【数１０】
0006824442.tif 000088
は、位相補償後の前記第３ラジアン値を変換することによって得られた角度値を表し、
【数１１】
0006824442.tif 000089
は前記第３ラジアン値を表し、
【数１２】
0006824442.tif 000090
は前記第２ラジアン値を変換することによって得られた角度値を表すことを特徴とするアップリンク同期タイミング偏差を決定するための装置。
【請求項６】
前記アップリンク同期タイミング偏は、次の式を満たし、
【数１３】
0006824442.tif 000091
、
ここで、ＴＡは前記アップリンク同期タイミング偏差を表し、
【数１４】
0006824442.tif 000092
は前記第２ラジアン値を変換することによって得られた角度値を表し、
【数１５】
0006824442.tif 000093
は前記第３ラジアン値を変換することによって得られた角度値を表し、
【数１６】
0006824442.tif 000094
は前記ｐｒｅａｍｂｌｅｅ信号に対してフーリエ変換（ＦＦＴ）を実行するポイント数であることを特徴とする請求項５に記載のアップリンク同期タイミング偏差を決定するための装置。
【請求項７】
前記受信モジュールは、
前記ユーザ機器によって繰り返し送信されたいくつかの前記ｐｒｅａｍｂｌｅｅ信号を受信し、
前記決定モジュールは、
前記ｐｒｅａｍｂｌｅｅ信号を送信するために使用される周波数ホッピングパターンに基づいて、各シンボルグループに対応するチャネル推定値に対し共役乗算して第１ラジアン値を得た後、繰り返し送信された前記いくつかの前記ｐｒｅａｍｂｌｅｅ信号の前記第１ラジアン値の第１平均値を決定し、前記第１平均値に基づいて前記ユーザ機器のアップリンク同期タイミング偏差を決定することを特徴とする請求項５に記載のアップリンク同期タイミング偏差を決定するための装置。
【請求項８】
前記受信モジュールは、
複数のアンテナを介してユーザー機器から送信されたプリアンブル信号を受信し、
前記決定モジュールは、
前記ｐｒｅａｍｂｌｅ信号を送信するために使用される周波数ホッピングパターンに基づいて、各シンボルグループに対応するチャネル推定値に対し共役乗算して第１ラジアン値を得た後、複数のアンテナを介して送信された前記ｐｒｅａｍｂｌｅｅ信号の前記第１ラジアン値の第２平均値を決定し、前記第２平均値に基づいてユーザー機器のアップリンク同期タイミング偏差を決定することを特徴とする請求項５から請求項７のいずれか１項に記載のアップリンク同期タイミング偏差を決定するための装置。
【発明の詳細な説明】
【技術分野】
【０００１】
本発明は、無線通信技術分野に関し、特にアップリンク同期タイミング偏差を決定するための方法および装置に関する。
【背景技術】
【０００２】
ＬＴＥ（Ｌｏｎｇ  Ｔｅｒｍ  Ｅｖｏｌｕｔｉｏｎ）システムと同様に、狭帯域インターネット（Ｎａｒｒｏｗ  Ｂａｎｄ  Ｉｎｔｅｒｎｅｔ  ｏｆ  Ｔｈｉｎｇｓ，ＮＢ−ＩｏＴ）システムの場合、ユーザ機器（Ｕｓｅｒ  Ｅｑｕｉｐｍｅｎｔ，ＵＥ）と基地局との間の距離は不確実であるため、ＵＥは、ランダムアクプロセスによって基地局とのアップリンク同期を確立する必要がある。基地局は、ＵＥによって送信されたプリアンブル（ｐｒｅａｍｂｌｅｅ）信号を検出し、受信されたｐｒｅａｍｂｌｅｅ信号からアップリンク同期タイミング偏差を推定し、ランダムアクセス応答によってアップリンク同期タイミング偏差をＵＥに送信する。ＵＥは、ランダムアクセス応答を受信した後にタイミングアドバンスを計算し、アップリンク信号の送信時間を調整して、アップリンク同期を実施する。
【０００３】
ＬＴＥシステムでは、ｐｒｅａｍｂｌｅｅシーケンスは、ＺＣシーケンスがサイクリックシフトされてから生成され、１つまたは複数のＺＣシーケンスのルートシーケンスから生じる。で使用されるアップリンク同期タイミング偏差を計算する方法では、基地局が、すべてのアンテナを介してＵＥによって送信されたｐｒｅａｍｂｌｅｅ信号を以下とおりで処理する。ＦＦＴ変換により、ｐｒｅａｍｂｌｅｅ信号を時間領域から周波数に変換し、サブキャリアデマッピング（ｄｅ−ｍａｐｐｉｎｇ）を行う。そして、サブキャリアデマッピングされた後のｐｒｅａｍｂｌｅｅ信号は、逆離散フーリエ変換（Ｉｎｖｅｒｓｅ  Ｄｉｓｃｒｅｔｅ  Ｆｏｕｒｉｅｒ  Ｔｒａｎｓｆｏｒｍ，  ＩＤＦＴ）を介して時間領域に変換され、時間領域信号のサイクリック相関結果が取得される。次に、すべてのアンテナを介してＵＥから送信された、ＩＤＦＴを介して変換されたｐｒｅａｍｂｌｅｅ信号がマージされ、最後にマージされた信号のピーク値が検出ウィンドウのピーク値と比較され、アップリンクタイミングアドバンス（Ｔａｍｉｎｇ  Ａｄｖａｎｃｉｎｇ，ＴＡ）が推定され、ＵＥにフィードバックされる。こうして、ＵＥがＴＡに基づいてアップリンク信号の送信時間を調整して、アップリンク同期を実施できるようにする。
【０００４】
ＬＴＥシステムでは、ｐｒｅａｍｂｌｅシーケンスは、良好な自己相関および低い相互相関を有するＺＣシーケンスで構成されているため、ＦＦＴおよびＩＤＦＴなどの変換後のｐｒｅａｍｂｌｅシーケンスは、検出ウィンドウにおいて、明らかなピーク値が提示される。ＴＡは、検出ウィンドウに表示されるピークに従ってより高い精度で推定されることができる。ただし、ＮＢ−ＩｏＴシステムでは、ｐｒｅａｍｂｌｅシーケンスは４つのシンボルグループで構成され、各グループには１つのＣＰシンボルと５つのＯＦＤＭシンボルが含まれる。各シンボルグループの５つのＯＦＤＭシンボルで送信される信号は同じであるため、基地局がｐｒｅａｍｂｌｅｅシーケンスをＦＦＴやＩＤＦＴなどの変換を実行した後に検出ウィンドウに表示されるピークは明確ではなく、検出ウィンドウに表示されるピーク値応じて決定されるアップリンク同期タイミング偏差の正確さが低いため、アップリンク同期の精度が低下する。
【発明の概要】
【発明が解決しようとする課題】
【０００５】
本発明の実施形態では、ＮＢ−ＩｏＴシステムの基地局がｐｒｅａｍｂｌｅシーケンスをＦＦＴやＩＤＦＴなどにより変換した後にアップリンク同期タイミング偏差を決定する際の精度が低いという従来技術の問題を解決するために、アップリンク同期タイミング偏差を決定するための方法および装置を提供する。
【課題を解決するための手段】
【０００６】
第１態様によれば、本発明の実施形態に係るアップリンク同期タイミング偏差を決定するための方法は、
基地局は、ユーザ機器からプリアンブルｐｒｅａｍｂｌｅ信号を受信するステップと、
前記基地局は、前記ｐｒｅａｍｂｌｅｅ信号内の各シンボルグループを送信することにより占有される周波数領域チャネルのチャネル推定値を決定するステップと、
前記基地局は、前記ｐｒｅａｍｂｌｅ信号を送信するために使用される周波数ホッピングパターンに基づいて、各シンボルグループに対応するチャネル推定値に対して共役乗算を実行して第１ラジアン値を得、また、前記第１ラジアン値に基づいて、前記ユーザ機器のアップリンク同期タイミング偏差を決定するステップとを備える。
【０００７】
本発明の実施形態では、基地局は、ユーザ機器からプリアンブル（ｐｒｅａｍｂｌｅｅ）信号を受信し、次に、前記ｐｒｅａｍｂｌｅｅ信号内の各シンボルグループを送信することにより占有される周波数領域チャネルのチャネル推定値を決定し、そして、前記ｐｒｅａｍｂｌｅｅ信号を送信するために使用される周波数ホッピングパターンに基づいて、各シンボルグループに対応するチャネル推定値に対して共役乗算を実行して第１ラジアン値を得、また、前記第１ラジアン値に基づいて、前記ユーザ機器のアップリンク同期タイミング偏差を決定する。ｐｒｅａｍｂｌｅｅ信号の位相差はアップリンク同期タイミング偏差によって引き起こされるため、ｐｒｅａｍｂｌｅｅ信号の位相差は、ユーザ機器のアップリンク同期タイミング偏差をより正確に反映できる。基地局がｐｒｅａｍｂｌｅシーケンスに対してＦＦＴおよびＩＤＦＴなどの変換処理を実行する従来技術と比較して、本発明の実施形態では、ｐｒｅａｍｂｌｅ信号内の各シンボルグループに対応するチャネル推定値に対して共役乗算を実行して第１ラジアン値を得、前記第１ラジアン値に基づいてｐｒｅａｍｂｌｅｅ信号の位相差を決定することにより、アップリンク同期タイミング偏差を決定する際の精度を高める。
【０００８】
第１態様と組み合わせて、第１態様の第１の可能な実施形態では、前記基地局が、前記ｐｒｅａｍｂｌｅｅ信号を送信するために使用される周波数ホッピングパターンに基づいて、各シンボルグループに対応するチャネル推定値に対して共役乗算を実行して第１ラジアン値を得る場合、
前記基地局は、前記周波数ホッピングパターンに基づいて、前記ｐｒｅａｍｂｌｅｅ信号内の任意の２つの周波数ホッピング間隔がＭ個のサブキャリアであるシンボルグループのチャネル推定値に対して共役乗算を実行して少なくとも２つの結果を得、得られた少なくとも２つの共役乗算の結果を合計して第１ラジアン値を得られた少なくとも２つの共役乗算の結果を合計して第１ラジアン値を得、ここで、前記Ｍは正の整数である。
【０００９】
第１態様と組み合わせて、第１態様の第２の可能な実施形態では、前記基地局が、前記ｐｒｅａｍｂｌｅｅ信号を送信するために使用される周波数ホッピングパターンに基づいて、各シンボルグループに対応するチャネル推定値に対して共役乗算を実行して第１ラジアン値を得る場合、
前記基地局は、前記周波数ホッピングパターンに基づいて、前記ｐｒｅａｍｂｌｅｅ信号内の任意の２つの周波数ホッピング間隔がＮ個のサブキャリアであるシンボルグループのチャネル推定値に対して共役乗算を実行して少なくとも２つの結果を得、得られた少なくとも２つの共役乗算の結果を合計して、第２ラジアン値を得、ここで、前記Ｎは正の整数であり、
前記基地局は、前記周波数ホッピングパターンに基づいて、前記ｐｒｅａｍｂｌｅｅ信号内の任意の２つの周波数ホッピング間隔がＨ個のサブキャリアであるシンボルグループのチャネル推定値に対して共役乗算を実行して少なくとも２つの結果を得、前記ｐｒｅａｍｂｌｅｅ信号内の任意の２つの周波数ホッピング間隔がＨ個のサブキャリアであるシンボルグループのチャネル推定値に対して共役乗算を実行して少なくとも２つの結果を得、得られた少なくとも２つの共役乗算の結果を合計して、第３ラジアン値を得、ここで、前記Ｈは正の整数であり、前記ＮはＨより小さく、
前記基地局は、前記第２ラジアン値と前記第３ラジアン値を合計して前記第１ラジアン値を得る。
【００１０】
オプションとして、前記基地局は、前記周波数ホッピングパターンに基づいて、前記ｐｒｅａｍｂｌｅｅ信号内の任意の２つのシンボルグループのチャネル推定値に対して共役乗算を実行して少なくとも２つの結果を得、得られた少なくとも２つの共役乗算の結果を合計して第１ラジアン値を得、または、
前記基地局は、前記周波数ホッピングパターンに基づいて、前記ｐｒｅａｍｂｌｅｅ信号内の事前に選択されたシンボルグループのチャネル推定値に対して共役乗算を実行して、得られた共役乗算の結果を第１ラジアン値とし、前記基地局は、他の方式で第１ラジアン値を得ることもできるが、本発明の実施形態葉、これについて限定しない。
【００１１】
第１態様の第２の可能な実施形態と組み合わせて、第１態様の第３の可能な実施形態では、前記アップリンク同期タイミング偏は、次の式を満たし、
【数１】
0006824442.tif 000002
、
ここで、ＴＡは前記アップリンク同期タイミング偏差を表し、
【数２】
0006824442.tif 000003
は前記第２ラジアン値を変換することによって得られた角度値を表し、
【数３】
0006824442.tif 000004
は前記第３ラジアン値を変換することによって得られた角度値を表し、
【数４】
0006824442.tif 000005
は前記ｐｒｅａｍｂｌｅｅ信号に対してフーリエ変換（ＦＦＴ）を実行するポイント数である。
【００１２】
第１態様の第２の可能な実施形態と組み合わせて、第１態様の第４の可能な実施形態では、前記基地局が、前記第１ラジアン値に基づいて、前記ユーザ機器のアップリンク同期タイミング偏差を決定する前に、前記方法では、さらに、
前記基地局は、前記第３ラジアン値を変換することによって得られた角度値に対して位相補償を行い、位相補償後の前記第３ラジアン値を変換することによって得られた角度値が次の式を満たし、
【数５】
0006824442.tif 000006
、
ここで、
【数６】
0006824442.tif 000007
は、位相補償後の前記第３ラジアン値を変換することによって得られた角度値を表し、
【数７】
0006824442.tif 000008
は前記第３ラジアン値を表し、
【数８】
0006824442.tif 000009
は前記第２ラジアン値を変換することによって得られた角度値を表す。
【００１３】
第１態様と組み合わせて、第１態様の第５の可能な実施形態では、基地局が、ユーザ機器からプリアンブル（ｐｒｅａｍｂｌｅｅ）信号を受信する場合、
前記基地局は、前記ユーザ機器によって繰り返し送信されたいくつかの前記ｐｒｅａｍｂｌｅｅ信号を受信し、
前記基地局が、前記ｐｒｅａｍｂｌｅ信号を送信するために使用される周波数ホッピングパターンに基づいて、各シンボルグループに対応するチャネル推定値に対し共役乗算して第１ラジアン値を得た後、前記方法では、さらに、
前記基地局は、繰り返し送信された前記いくつかの前記ｐｒｅａｍｂｌｅｅ信号の前記第１ラジアン値の第１平均値を決定し、前記第１平均値に基づいて前記ユーザ機器のアップリンク同期タイミング偏差を決定する。
【００１４】
第１態様および第１態様の第１の可能な実施形態ないし第５の可能な実施形態のいずれかの１つと組み合わせて、第１態様の第６の可能な実施形態では、基地局が、ユーザ機器からプリアンブル（ｐｒｅａｍｂｌｅｅ）信号を受信する場合、
前記基地局は、複数のアンテナを介してユーザー機器から送信されたプリアンブル信号を受信し、
前記基地局は、前記ｐｒｅａｍｂｌｅｅ信号を送信するために使用される周波数ホッピングパターンに基づいて、各シンボルグループに対応するチャネル推定値に対し共役乗算して第１ラジアン値を得た後、前記方法では、さらに、
前記基地局は、複数のアンテナを介して送信された前記ｐｒｅａｍｂｌｅｅ信号の前記第１ラジアン値の第２平均値を決定し、前記第２平均値に基づいてユーザー機器のアップリンク同期タイミング偏差を決定する。
【００１５】
第２態様によれば、本発明の実施形態に係るアップリンク同期タイミング偏差を決定するための装置は、
ユーザ機器からプリアンブル（ｐｒｅａｍｂｌｅｅ）信号を受信するための受信モジュールと、
受信モジュールによって受信されたｐｒｅａｍｂｌｅｅ信号内の各シンボルグループを送信することによって占有される周波数領域チャネルのチャネル推定値を決定し、前記ｐｒｅａｍｂｌｅｅ信号を送信するために使用される周波数ホッピングパターンに基づいて、各シンボルグループに対応するチャネル推定値に対して共役乗算を実行して第１ラジアン値を得、また、前記第１ラジアン値に基づいて、前記ユーザ機器のアップリンク同期タイミング偏差を決定するための決定モジュールとを備える。
【００１６】
第２態様と組み合わせて、第２態様の第１の可能な実施形態では、前記決定モジュールは、前記ｐｒｅａｍｂｌｅｅ信号を送信するために使用される周波数ホッピングパターンに基づいて、各シンボルグループに対応するチャネル推定値に対して共役乗算を実行して第１ラジアン値を得る場合、
前記周波数ホッピングパターンに基づいて、前記ｐｒｅａｍｂｌｅｅ信号内の任意の２つの周波数ホッピング間隔がＭ個のサブキャリアであるシンボルグループのチャネル推定値に対して共役乗算を実行して少なくとも２つの結果を得、得られた少なくとも２つの共役乗算の結果を合計して第１ラジアン値を得られた少なくとも２つの共役乗算の結果を合計して第１ラジアン値を得、ここで、前記Ｍは正の整数である。
【００１７】
第２態様と組み合わせて、第２態様の第２の可能な実施形態では、前記決定モジュールは、前記ｐｒｅａｍｂｌｅｅ信号を送信するために使用される周波数ホッピングパターンに基づいて、各シンボルグループに対応するチャネル推定値に対して共役乗算を実行して第１ラジアン値を得る場合、
前記周波数ホッピングパターンに基づいて、前記ｐｒｅａｍｂｌｅｅ信号内の任意の２つの周波数ホッピング間隔がＮ個のサブキャリアであるシンボルグループのチャネル推定値に対して共役乗算を実行して少なくとも２つの結果を得、得られた少なくとも２つの共役乗算の結果を合計して、第２ラジアン値を得、ここで、前記Ｎは正の整数であり、
前記周波数ホッピングパターンに基づいて、前記ｐｒｅａｍｂｌｅｅ信号内の任意の２つの周波数ホッピング間隔がＨ個のサブキャリアであるシンボルグループのチャネル推定値に対して共役乗算を実行して少なくとも２つの結果を得、前記ｐｒｅａｍｂｌｅｅ信号内の任意の２つの周波数ホッピング間隔がＨ個のサブキャリアであるシンボルグループのチャネル推定値に対して共役乗算を実行して少なくとも２つの結果を得、得られた少なくとも２つの共役乗算の結果を合計して、第３ラジアン値を得、ここで、前記Ｈは正の整数であり、前記ＮはＨより小さく、
前記第２ラジアン値と前記第３ラジアン値を合計して前記第１ラジアン値を得る。
【００１８】
第２態様の第２の可能な実施形態と組み合わせて、第２態様の第３の可能な実施形態では、前記アップリンク同期タイミング偏は、次の式を満たし、
【数９】
0006824442.tif 000010
、
ここで、ＴＡは前記アップリンク同期タイミング偏差を表し、
【数１０】
0006824442.tif 000011
は前記第２ラジアン値を変換することによって得られた角度値を表し、
【数１１】
0006824442.tif 000012
は前記第３ラジアン値を変換することによって得られた角度値を表し、
【数１２】
0006824442.tif 000013
は前記ｐｒｅａｍｂｌｅｅ信号に対してフーリエ変換（ＦＦＴ）を実行するポイント数である。
【００１９】
第２態様の第２の可能な実施形態と組み合わせて、第２態様の第４の可能な実施形態では、前記装置は、
前記決定モジュールが前記第１ラジアン値に基づいて前記ユーザ機器のアップリンク同期タイミング偏差を決定する前に、前記決定モジュールによって決定された前記第３ラジアン値を変換することによって得られた角度値に対し位相補償を実行するための位相補償モジュールをさらに備え、
位相補償後の前記第３ラジアン値を変換することによって得られた角度値が次の式を満たし、
【数１３】
0006824442.tif 000014
、
ここで、
【数１４】
0006824442.tif 000015
は、位相補償後の前記第３ラジアン値を変換することによって得られた角度値を表し、
【数１５】
0006824442.tif 000016
は前記第３ラジアン値を表し、
【数１６】
0006824442.tif 000017
は前記第２ラジアン値を変換することによって得られた角度値を表す。
【００２０】
第２態様と組み合わせて、第２態様の第５の可能な実施形態では、前記受信モジュールは、具体的に、
前記ユーザ機器によって繰り返し送信されたいくつかの前記ｐｒｅａｍｂｌｅｅ信号を受信し、
前記決定モジュールは、
前記ｐｒｅａｍｂｌｅｅ信号を送信するために使用される周波数ホッピングパターンに基づいて、各シンボルグループに対応するチャネル推定値に対し共役乗算して第１ラジアン値を得た後、繰り返し送信された前記いくつかの前記ｐｒｅａｍｂｌｅｅ信号の前記第１ラジアン値の第１平均値を決定し、前記第１平均値に基づいて前記ユーザ機器のアップリンク同期タイミング偏差を決定する。
【００２１】
第２態様および第２態様の第１の可能な実施形態ないし第５の可能な実施形態のいずれか１つと組み合わせて、第２態様の第６の可能な実施形態では、前記受信モジュールは、具体的に、
複数のアンテナを介してユーザー機器から送信されたプリアンブル信号を受信し、
前記決定モジュールは、
前記ｐｒｅａｍｂｌｅｅ信号を送信するために使用される周波数ホッピングパターンに基づいて、各シンボルグループに対応するチャネル推定値に対し共役乗算して第１ラジアン値を得た後、複数のアンテナを介して送信された前記ｐｒｅａｍｂｌｅｅ信号の前記第１ラジアン値の第２平均値を決定し、前記第２平均値に基づいてユーザー機器のアップリンク同期タイミング偏差を決定する。
【発明の効果】
【００２２】
本発明の実施形態では、基地局は、ユーザ機器からプリアンブルｐｒｅａｍｂｌｅ信号を受信し、次に、前記ｐｒｅａｍｂｌｅｅ信号内の各シンボルグループを送信することにより占有される周波数領域チャネルのチャネル推定値を決定し、そして、前記ｐｒｅａｍｂｌｅｅ信号を送信するために使用される周波数ホッピングパターンに基づいて、各シンボルグループに対応するチャネル推定値に対して共役乗算を実行して第１ラジアン値を得、また、前記第１ラジアン値に基づいて、前記ユーザ機器のアップリンク同期タイミング偏差を決定する。ｐｒｅａｍｂｌｅｅ信号の位相差はアップリンク同期タイミング偏差によって引き起こされるため、ｐｒｅａｍｂｌｅ信号の位相差はユーザ機器のアップリンク同期タイミング偏差を反映することができ、基地局がｐｒｅａｍｂｌｅｅシーケンスに対してＦＦＴおよびＩＤＦＴなどの変換処理を実行する従来技術と比較して、本発明の実施形態では、ｐｒｅａｍｂｌｅ信号内の各シンボルグループに対応するチャネル推定値に対して共役乗算を実行して第１ラジアン値を得、前記第１ラジアン値に基づいてｐｒｅａｍｂｌｅｅ信号の位相差を決定することにより、アップリンク同期タイミング偏差を決定する際の精度を高める。
【図面の簡単な説明】
【００２３】
【図１】本発明の実施形態に係るユーザ機器アップリンク同期の概略図である。
【図２】本発明の実施形態に係る周波数ホッピングパターンの概略図である。
【図３】本発明の実施形態に係るアップリンク同期タイミング偏差を決定するための方法のフローチャートである。
【図４】本発明の実施形態に係るアップリンク同期タイミング偏差を決定するための方法のフローチャートである。
【図５】本発明の実施形態に係るアップリンク同期タイミング偏差を決定するための方法のフローチャートである。
【図６】本発明の実施形態に係るアップリンク同期タイミング偏差を決定するための方法のフローチャートである。
【図７】本発明の実施形態に係るアップリンク同期タイミング偏差を決定するための装置の構造概略図である。
【図８】本発明の実施形態に係る基地局機器の構造概略図である。
【発明を実施するための形態】
【００２４】
本発明の実施例における目的、技術方案と利点を明確にするため、以下に本発明の実施例における図と結合して本発明の実施例における技術方案の詳細を明確に、完全に説明する。当然、記載の実施例は本発明の実施例の一部に過ぎず、全ての実施例ではない。本発明における実施例にもとづき、当業者は、創造性作業を行わないことを前提として、取得したその他の実施例は、本発明の保護範囲に属する。
【００２５】
図１に示すように、ＬＴＥ（Ｌｏｎｇ  Ｔｅｒｍ  Ｅｖｏｌｕｔｉｏｎ）システムと同様に、狭帯域インターネット（Ｎａｒｒｏｗ  Ｂａｎｄ  Ｉｎｔｅｒｎｅｔ  ｏｆ  Ｔｈｉｎｇｓ，ＮＢ−ＩｏＴ）システムの場合、ユーザ機器（Ｕｓｅｒ  Ｅｑｕｉｐｍｅｎｔ，ＵＥ）と基地局との間の距離は不確実であるため、ＵＥは、ランダムアクプロセスによって基地局とのアップリンク同期を確立する必要がある。基地局は、ＵＥによって送信されたプリアンブル（ｐｒｅａｍｂｌｅ）信号を検出し、受信されたｐｒｅａｍｂｌｅｅ信号からアップリンク同期タイミング偏差を推定し、ランダムアクセス応答によってアップリンク同期タイミング偏差をＵＥに送信する。ＵＥは、ランダムアクセス応答を受信した後にタイミングアドバンスを計算し、アップリンク信号の送信時間を調整して、アップリンク同期を実施する。
【００２６】
ＬＴＥシステムでは、ｐｒｅａｍｂｌｅｅシーケンスは、ＺＣシーケンスがサイクリックシフトされて生成され、１つのＺＣルートシーケンスから生じる。基地局は、ＵＥによって送信されたｐｒｅａｍｂｌｅｅ信号を受信した後、次のプロセスによってアップリンク同期タイミングの偏差を決定する。
【００２７】
第１のステップ：基地局は、受信したｐｒｅａｍｂｌｅ信号のｐｒｅａｍｂｌｅフォーマットタイプに従ってｐｒｅａｍｂｌｅｅ信号のサイクリックサイクリックプレフィックス（ＣｙｃｌｉｃＰｒｅｆｉｘ，  ＣＰ）部分を削除し、ｐｒｅａｍｂｌｅｅシーケンス部分を持ち続ける。
【００２８】
第２のステップ：基地局は、ｐｒｅａｍｂｌｅｅシーケンスに対して、スペクトラムシフト、カスケードインテグレーターコム（Ｃａｓｃａｄｅ  Ｉｎｔｅｇｒａｔｏｒ  Ｃｏｍｂ，  ＣＩＣ）ダウンサンプリングおよび高速フーリエ変換（Ｆａｓｔ  Ｆｏｕｒｉｅｒ  Ｔｒａｎｓｆｏｒｍａｔｉｏｎ，  ＦＦＴ）およびその他の操作を実行して、ｐｒｅａｍｂｌｅｅシーケンスを時間領域から周波数領域に変換し、周波数領域に変換されたｐｒｅａｍｂｌｅｅシーケンスにサブキャリアデマッピングを実行する。
【００２９】
第３のステップ：基地局は、サブキャリアデマッピング後のｐｒｅａｍｂｌｅｅシーケンスに対して、周波数領域自動利得制御（Ａｕｔｏｍａｔｉｃ  Ｇａｉｎ  Ｃｏｎｔｒｏｌ，  ＡＧＣ）処理を実行し、サブキャリアデマッピング後のｐｒｅａｍｂｌｅｅシーケンスの振幅がプリセットされた間隔にとどまるようにする。
【００３０】
第４のステップ：基地局は、ＺＣルートシーケンス、および周波数領域ＡＧＣ処理後のｐｒｅａｍｂｌｅｅシーケンスに対して周波数領域乗算を実行する。
【００３１】
第５のステップ：基地局は、周波数領域乗算後のｐｒｅａｍｂｌｅシーケンスに対して逆離散フーリエ変換（Ｉｎｖｅｒｓｅ  Ｄｉｓｃｒｅｔｅ  Ｆｏｕｒｉｅｒ  Ｔｒａｎｓｆｏｒｍ，  ＩＤＦＴ）を実行して、ｐｒｅａｍｂｌｅｅシーケンスの相関結果を周波数領域から時間領域に変換し、時間領域信号のサイクリック相関結果を得る。
【００３２】
第６のステップ：基地局は、時間領域に変換されたｐｒｅａｍｂｌｅｅ信号に対してＡＧＣ回復処理を実行し、時間領域に変換されたｐｒｅａｍｂｌｅｅシーケンスの振幅を、基地局に到達したときに元の振幅に回復する。
【００３３】
第７のステップ：基地局は、すべてのアンテナを介して当該ＵＥによって送信されたｐｒｅａｍｂｌｅｅ信号の信号電力をマージし、すなわち、すべてのアンテナを介して当該ＵＥによって送信された元の振幅に回復したｐｒｅａｍｂｌｅシーケンスをマージする。
【００３４】
第８のステップ：基地局は、物理ランダムアクセスチャネル（Ｐｈｙｓｉｃａｌ  Ｒａｎｄｏｍ  Ａｃｃｅｓｓ  Ｃｈａｎｎｅｌ，  ＰＲＡＣＨ）の信号電力および雑音電力を推定し、マージされた信号電力、ＰＲＡＣＨの信号電力および雑音電力から、ｐｒｅａｍｂｌｅ信号のアクセスの有無を判断し、がアクセスする場合、検出ウィンドウ内の直径または第１直径の位置に従って、アップリンクタイミングアドバンスを推定する。ここで、最大直径は、マージされた信号電力の振幅の最大ピークを表し、第１直径は所定のしきい値よりも大きいマージされた信号電力の、最初のピーク値を表す。
【００３５】
ＮＢ−ＩｏＴシステムでは、基地局は、１つまたは複数の狭帯域物理ランダムアクセスチャネル（Ｎａｒｒｏｗｂａｎｄ  Ｐｈｙｓｉｃａｌ  Ｒａｎｄｏｍ  Ａｃｃｅｓｓ  Ｃｈａｎｎｅｌ，  ＮＰＲＡＣＨ）を設定する。各ＮＰＲＡＣＨは１２個のサブキャリアで構成され、各ＵＥによって送信されたｐｒｅａｍｂｌｅｅ信号は、１つのＮＰＲＡＣＨの１２個のサブキャリアにおいて、周波数ホッピングによって送信される。ｐｒｅａｍｂｌｅｅ信号は、４個のシンボルグループで構成され、各シンボルグループは、１つのＣＰおよび５つのＯＦＤＭシンボルを含み、且つ５つのＯＦＤＭシンボルにおいて送信される信号は同じであり、いずれも１とすることができ、周波数領域に複数のＰＲＡＣＨが設定されるとしても、異なるｐｒｅａｍｂｌｅｅ信号間の直交性を確保できる。ｐｒｅａｍｂｌｅｅ信号のフォーマットおよびシンボル長さはテーブル１に示すように、
【数１７】
0006824442.tif 000018
であり、２つのフォーマットｐｒｅａｍｂｌｅｅ信号のＣＰ長さは異なり、フォーマットｆｏｒｍａｔ０は１０ｋｍセル半径をサポートし、ｆｏｒｍａｔ１はサポート４０ｋｍセル半径をサポートする。
【表１】
0006824442.tif 000019
ここで、Ｔｃｐはｐｒｅａｍｂｌｅｅ信号のＣＰ長さを示す。Ｔｓｅｑはｐｒｅａｍｂｌｅ信号内のｐｒｅａｍｂｌｅｅシーケンス長さを示す。Ｔｏｔａｌはｐｒｅａｍｂｌｅ信号の総長を示す。
【００３６】
各シンボルグループの送信は、１つのみのサブキャリアを占有し、所定の周波数ホッピングパターンに従って送信される。図２に示す周波数ホッピングパターンの例を挙げて説明する。周波数ホッピングパターンにおいて、シンボルグループの間に２つのレベルの周波数ホッピング間隔が設定されており、周波数ホッピング間隔の第１レベルは、第１シンボルグループと第２シンボルグループ間、および第３シンボルグループと第４シンボルグループ間で設定される。第１レベルの周波数ホッピング間隔は、１つのサブキャリアFＨ１=３.７５ｋＨｚであり、シンボルグループのスモールホッピングと呼ばれる。第２レベルの周波数ホッピング間隔は第２と第３シンボルグループの間に設定され、第２レベルの周波数ホッピング間隔は６個のサブキャリアFＨ２=２２.５ｋＨｚであり、シンボルグループのビッグホッピングと呼ばれる。または、第１シンボルグループと第２シンボルグループ周波数ホッピング方向は、第３シンボルグループと第４シンボルグループ周波数ホッピング方向と反対する。第１シンボルグループと第４シンボルグループ周波数ホッピング方向は、第２シンボルグループと第３シンボルグループ周波数ホッピング方向と同じである。
【００３７】
ｐｒｅａｍｂｌｅｅ信号は、長期間にわたって送信され、何度も繰り返して送信することができる。３ＧＰＰ規格で規定されたのは、ｐｒｅａｍｂｌｅ信号の繰り返し送信可能回数は、[１，２，４，８，１６，３２，６４，１２８]であり、基地局はそのうちの３種の繰り返し送信可能回数を選んで設定することができる。毎回繰り返し送信されたｐｒｅａｍｂｌｅｅ信号は、時間的に連続しており、周波数領域において周波数ホッピングによって送信される。周波数ホッピング方式は、LTE物理アップリンク共有チャネル（Ｐｈｙｓｉｃａｌ  ＵｐｌｉｎｋＳｈａｒｅｄ  Ｃｈａｎｎｅｌ，  ＰＵＳＣＨ）ｔｙｐｅ２周波数ホッピング方式を採用することができる。ｐｒｅａｍｂｌｅが６４回繰り返し送信された後、４０msのガード期間（ｇｕａｒｄ  ｐｅｒｉｏｄ，ＧＰ）を追加する必要がある。ｐｒｅａｍｂｌｅｅ信号は、異なる時刻に応じて、周波数ホッピングの方式で異なる開始サブキャリアを選択して送信され、反干渉および周波数領域ダイバーシティマージ利得を取得する。異なる開始サブキャリアは、異なる周波数ホッピングパスに対応し、１つのサブキャリアはある時刻で１つのみのユーザーのｐｒｅａｍｂｌｅｅ信号を伝送できる。
【００３８】
ｐｒｅａｍｂｌｅ信号はＬＴＥシステムにおけるＺＣシーケンスであり、すべてのＺＣシーケンスは良好な自己相関および良好な相互非相関を有するため、基地局は、ｐｒｅａｍｂｌｅｅ信号がＦＦＴおよびＩＤＦＴなどの変換の後、マルチパスを区別することができる。すべてのアンテナを介して当該ＵＥによって送信されたｐｒｅａｍｂｌｅｅ信号の信号電力をマージした後、マージで得られた信号電力荷従ってアップリンク同期タイミング偏差を決定する。一方、ＮＢ−ＩｏＴシステムでは、ｐｒｅａｍｂｌｅｅシーケンスは４個のシンボルグループより構成される。各シンボルグループには１つのＣＰシンボルと５つのＯＦＤＭシンボルが含まれ、５つのＯＦＤＭシンボルで送信される信号は同じであるため、ＮＢ−ＩｏＴシステムにおいて、はｐｒｅａｍｂｌｅｅ信号がＦＦＴなどの変換後、マルチパスを区別できない。すべてのアンテナを介して当該ＵＥによって送信されたｐｒｅａｍｂｌｅｅ信号の信号電力をマージできないため、アップリンク同期タイミング偏差の決定精度が低下される。マルチパスとは、ユーザー機器から送信されたｐｒｅａｍｂｌｅｅ信号が複数のアンテナを介して基地局に到達する伝播現象を指す。
【００３９】
また、ｐｒｅａｍｂｌｅｅ信号の持続時間は、ＮＢ−ＩｏＴシステムでは比較的長く、すなわち、１つのシンボルグループの送信時間は比較的長く、２つの隣接するシンボルグループ間の間隔時間は比較的長いので、ユーザー機器がダウンリンク同期を実行する場合、周波数の細かい同期は達成できないため、ユーザー機器はダウンリンクの同期後の残留周波数オフセットが大きくなる可能性があり、残留周波数オフセットは追加の位相差を引き起こし、これにより、アップリンク同期タイミング偏差決定の精度に影響を与える可能性がある。たとえば、１つのシンボルグループは１.６ms持続し、５０Ｈzの残留周波数オフセットは
【数１８】
0006824442.tif 000020
の位相差の位相差を引き起こす可能性がある。ｐｒｅａｍｂｌｅ信号に対してＦＦＴやＩＤＦＴなどの変換処理を実行してアップリンク同期タイミング偏差を決定するための方式でそのような残留周波数オフセットを処理できないため、アップリンク同期タイミング偏差を決定する際の精度が低下される。
【００４０】
それに基づいて、本発明の実施形態は、ＮＢ−ＩｏＴシステムの基地局がｐｒｅａｍｂｌｅシーケンスをＦＦＴやＩＤＦＴなどにより変換した後にアップリンク同期タイミング偏差を決定する際の精度が低いという従来技術の問題を解決するために、アップリンク同期タイミング偏差を決定するための方法および装置を提供する。ここで、方法と装置は同一の発明思想に基づいているため、方法および装置の問題解決原理は類似するため、装置と方法は互いに参照することができそれらの繰り返しの説明は省略される。
【００４１】
本発明の実施形態の説明において、「第１」または「第２」などの単語は、説明を区別するためだけのものであり、相対的な重要性を示すまたは暗示するために説明することはできず、また、順序を示すまたは暗示することもできない。
【００４２】
以下、本発明の好ましい実施形態を図面と組み合わせて詳細に説明する。
本発明の実施形態に係るアップリンク同期タイミング偏差を決定するための方法のフローチャートは、図３に示されるように、この方法は特に以下を含むことができる。
Ｓ３０１において、基地局は、ユーザ機器からプリアンブル（ｐｒｅａｍｂｌｅｅ）信号を受信する。
Ｓ３０２において、前記基地局は、前記ｐｒｅａｍｂｌｅｅ信号内の各シンボルグループを送信することにより占有される周波数領域チャネルのチャネル推定値を決定する。
Ｓ３０３において、前記基地局は、前記ｐｒｅａｍｂｌｅ信号を送信するために使用される周波数ホッピングパターンに基づいて、各シンボルグループに対応するチャネル推定値に対して共役乗算を実行して第１ラジアン値を得、また、前記第１ラジアン値に基づいて、前記ユーザ機器のアップリンク同期タイミング偏差を決定する。
【００４３】
本発明の実施形態では、基地局は、ユーザ機器からプリアンブル（ｐｒｅａｍｂｌｅｅ）信号を受信し、次に、前記ｐｒｅａｍｂｌｅｅ信号内の各シンボルグループを送信することにより占有される周波数領域チャネルのチャネル推定値を決定し、そして、前記ｐｒｅａｍｂｌｅｅ信号を送信するために使用される周波数ホッピングパターンに基づいて、各シンボルグループに対応するチャネル推定値に対して共役乗算を実行して第１ラジアン値を得、また、前記第１ラジアン値に基づいて、前記ユーザ機器のアップリンク同期タイミング偏差を決定する。ｐｒｅａｍｂｌｅｅ信号の位相差はアップリンク同期タイミング偏差によって引き起こされるため、ｐｒｅａｍｂｌｅ信号の位相差はユーザ機器のアップリンク同期タイミング偏差を反映することができ、基地局がｐｒｅａｍｂｌｅｅシーケンスに対してＦＦＴおよびＩＤＦＴなどの変換処理を実行する従来技術と比較して、本発明の実施形態では、ｐｒｅａｍｂｌｅ信号内の各シンボルグループに対応するチャネル推定値に対して共役乗算を実行して第１ラジアン値を得、前記第１ラジアン値に基づいてｐｒｅａｍｂｌｅｅ信号の位相差を決定することにより、アップリンク同期タイミング偏差を決定する際の精度を高める。
【００４４】
具体的に、前記基地局は、前記ｐｒｅａｍｂｌｅｅ信号を送信するために使用される周波数ホッピングパターンに基づいて、以下の方式のいずれかで各シンボルグループに対応するチャネル推定値に対して共役乗算を実行して第１ラジアン値を得る。
【００４５】
[方式１]
前記基地局は、前記周波数ホッピングパターンに基づいて、前記ｐｒｅａｍｂｌｅｅ信号内の任意の２つの周波数ホッピング間隔がＭ個のサブキャリアであるシンボルグループのチャネル推定値に対して共役乗算を実行して少なくとも２つの結果を得、得られた少なくとも２つの共役乗算の結果を合計して第１ラジアン値を得られた少なくとも２つの共役乗算の結果を合計して第１ラジアン値を得、ここで、前記Ｍは正の整数である。
【００４６】
[方式２]
Ａ１：前記基地局は、前記周波数ホッピングパターンに基づいて、前記ｐｒｅａｍｂｌｅｅ信号内の任意の２つの周波数ホッピング間隔がＮ個のサブキャリアであるシンボルグループのチャネル推定値に対して共役乗算を実行して少なくとも２つの結果を得、得られた少なくとも２つの共役乗算の結果を合計して、第２ラジアン値を得、ここで、前記Ｎは正の整数である。
【００４７】
Ａ２：前記基地局は、前記周波数ホッピングパターンに基づいて、前記ｐｒｅａｍｂｌｅｅ信号内の任意の２つの周波数ホッピング間隔がＨ個のサブキャリアであるシンボルグループのチャネル推定値に対して共役乗算を実行して少なくとも２つの結果を得、前記ｐｒｅａｍｂｌｅｅ信号内の任意の２つの周波数ホッピング間隔がＨ個のサブキャリアであるシンボルグループのチャネル推定値に対して共役乗算を実行して少なくとも２つの結果を得、得られた少なくとも２つの共役乗算の結果を合計して、第３ラジアン値を得、ここで、前記Ｈは正の整数であり、前記ＮはＨより小さい。
【００４８】
Ａ３：前記基地局は、前記第２ラジアン値と前記第３ラジアン値を合計して前記第１ラジアン値を得る。
【００４９】
オプションとして、前記基地局は、前記周波数ホッピングパターンに基づいて、前記ｐｒｅａｍｂｌｅｅ信号内の任意の２つのシンボルグループのチャネル推定値に対して共役乗算を実行して少なくとも２つの結果を得、得られた少なくとも２つの共役乗算の結果を合計して第１ラジアン値を得る。
【００５０】
または、前記基地局は、前記周波数ホッピングパターンに基づいて、前記ｐｒｅａｍｂｌｅｅ信号内の事前に選択されたシンボルグループのチャネル推定値に対して共役乗算を実行して、得られた共役乗算の結果を第１ラジアン値とし、前記基地局は、他の方式で第１ラジアン値を得ることもできるが、本発明の実施形態葉、これについて限定しない。
【００５１】
本発明の実施形態のより良い理解のために、特定のアプリケーションシナリオが提供され、前記ｐｒｅａｍｂｌｅｅ信号が使用する周波数ホッピングパターンが図２に示すような周波数ホッピングパターンであり、前記ｐｒｅａｍｂｌｅｅ信号が第１シンボルグループ、第２シンボルグループ、第３シンボルグループおよび第４シンボルグループを含む場合の例を挙げ、基地局が、ユーザ機器からプリアンブル（ｐｒｅａｍｂｌｅｅ）信号を受信した後アップリンク同期タイミング偏差を取得するプロセスを詳細に説明する。
【００５２】
シナリオ１：前記基地局は、方式１で、図２に示す周波数ホッピングパターンに基づいて、各シンボルグループに対応するチャネル推定値に対して共役乗算を実行して第１ラジアン値を得、Ｍは１に等しい。
【００５３】
図４に示すように、基地局がアップリンク同期タイミング偏差を決定するプロセスは、具体的には以下を含む。
Ｓ４０１において、ＣＰを削除する。
具体的に、基地局は、受信したｐｒｅａｍｂｌｅｅ信号のｐｒｅａｍｂｌｅフォーマットタイプに従ってｐｒｅａｍｂｌｅｅ信号のＣＰ部分を除去する。
【００５４】
Ｓ４０２において、１/２サブキャリア周波数シフトを行う。
具体的に、基地局は、ＣＰ部分が除去されたｐｒｅａｍｂｌｅｅ信号に対してサブキャリア（すなわち、１．８７５ｋＨｚ）周波数シフトを実行する。
基地局は、ＣＰ部分が除去されたプリアンブル信号に対して１／２サブキャリア周波数シフトを実行することにより、直流成分の影響を回避する。
【００５５】
Ｓ４０３において、同期信号復調を行う。
具体的に、基地局は、１/２サブキャリア周波数シフトが実行された後のｐｒｅａｍｂｌｅ信号をＦＦＴ変換して周波数領域シーケンスを得、次に図２に示す周波数ホッピングパターンに基づいて各ＯＦＤＭシンボルが位置するチャネルの中心周波数を決定し、そして、ｐｒｅａｍｂｌｅ信号の周波数領域シーケンスから各ＯＦＤＭシンボルが位置するチャネルの中心周波数に対応する周波数領域データを抽出する。
【００５６】
Ｓ４０４において、周波数領域ＡＧＣ処理を行う。
具体的に、基地局は、各ＯＦＤＭシンボルに対応する周波数領域データに対して、周波数領域ＡＧＣ処理を実行し、各ＯＦＤＭシンボルに対応する周波数領域データの振幅がプリセットされた間隔のままであることを確保する。
【００５７】
Ｓ４０５において、粗いタイミング同期を行う。
具体的に、前記基地局は、各シンボルグループ内の周波数領域ＡＧＣ処理後の５つのＯＦＤＭシンボルに対応する周波数領域データの平均値が各シンボルグループに占有された周波数領域チャネルのチャネル推定値であることを決定し、前記ｐｒｅａｍｂｌｅｅ信号の周波数ホッピング間隔が１個のサブキャリアである第１シンボルグループおよび第２シンボルグループのチャネル推定値に対して共役乗算を実行し、また、周波数ホッピング間隔が１個のサブキャリアである第３シンボルグループおよび第４シンボルグループのチャネル推定値に対して共役乗算を実行し、そして２つの共役乗算の結果を合計して第１ラジアン値を得、ここで、第１ラジアン値は以下の式を満たす：
【数１９】
0006824442.tif 000021
、
Rsは第１ラジアン値を表し、y１は第１シンボルグループのチャネル推定値を表し、y２は第２シンボルグループのチャネル推定値を表し、y３は第３シンボルグループのチャネル推定値を表し、y４は表第４シンボルグループのチャネル推定値を表す。
【００５８】
可能な実施形態では、ユーザ機器によって繰り返し送信されたいくつかのｐｒｅａｍｂｌｅｅ信号を受信するとき、基地局によって実行される粗タイミング同期プロセスは、以下の方法で実施することができる。
【００５９】
Ｂ１、各前記ｐｒｅａｍｂｌｅｅ信号について、基地局は、前記各前記ｐｒｅａｍｂｌｅ信号に対応する第１ラジアン値を決定する。
【００６０】
ユーザ機器が異なる周波数ホッピングパターンに基づいてｐｒｅａｍｂｌｅｅ信号を繰り返し送信する場合、各前記ｐｒｅａｍｂｌｅ信号は、正のホッピングにより、第１シンボルグループから第２シンボルグループへ周波数ホッピングすることができ、すなわち、第１のシンボルグループから第２シンボルグループに占有された周波数領域チャネルの中心周波数が第１シンボルグループに占有された周波数領域チャネルの中心周波数より大きい。また、負のホッピングにより、周波数ホッピングすることもでき、すなわち、第１のシンボルグループから第２シンボルグループに占有された周波数領域チャネルの中心周波数が第１シンボルグループに占有された周波数領域チャネルの中心周波数より小さい。位相の一貫性を確保するために、本発明の実施形態では、いくつかのｐｒｅａｍｂｌｅｅ信号の第１ラジアン値が修正される。
【００６１】
具体的に、いくつかの前記ｐｒｅａｍｂｌｅｅ信号に基づいて、基地局は、正のホッピングにより第１シンボルグループから第２シンボルグループへ周波数ホッピングした前記ｐｒｅａｍｂｌｅｅ信号の第１ラジアン値を修正し、修正後の第１ラジアン値は以下の式を満たす：
【数２０】
0006824442.tif 000022
。
または、いくつかの前記ｐｒｅａｍｂｌｅｅ信号に基づいて、基地局は、負のホッピングにより第１シンボルグループから第２シンボルグループへ周波数ホッピングした前記ｐｒｅａｍｂｌｅｅ信号の第１ラジアン値を修正し、本発明の実施形態はこれについて限定しない。
【００６２】
Ｂ２、基地局は、いくつかの前記ｐｒｅａｍｂｌｅ信号の第１ラジアン値のラジアン平均値を決定し、前記ラジアン平均値は以下の式を満たす：
【数２１】
0006824442.tif 000023
、
ここで、
【数２２】
0006824442.tif 000024
はラジアン平均値を表し、
【数２３】
0006824442.tif 000025
はユーザ機器によって繰り返し送信可能回数を表し、
【数２４】
0006824442.tif 000026
はi番目送信したｐｒｅａｍｂｌｅｅ信号の第１ラジアン値を表す。
【００６３】
Ｂ３、基地局は、前記ラジアン平均値を第１角度値に転換し、第１角度値は以下の式を満たす：
【数２５】
0006824442.tif 000027
、
ここで、
【数２６】
0006824442.tif 000028
は第１角度値を表す。
【００６４】
オプションとして、ステップＳ４０５の後、およびＳ４０７の前、ステップＳ４０６を実行する。
【００６５】
Ｓ４０６において、アンテナをマージする。
具体的に、前記複数のアンテナを介してユーザー機器から送信されたいくつかの前記ｐｒｅａｍｂｌｅｅ信号を受信する場合、各前記ｐｒｅａｍｂｌｅｅ信号について、基地局は、各前記ｐｒｅａｍｂｌｅｅ信号に対応する第１角度値を決定して、いくつかの前記ｐｒｅａｍｂｌｅｅ信号の第１角度値の第１角度の平均値を決定する。前記第１角度の平均値は以下の式を満たす：
【数２７】
0006824442.tif 000029
、
ここで、
【数２８】
0006824442.tif 000030
は第１角度の平均値を表し、
【数２９】
0006824442.tif 000031
は、ユーザ機器がｐｒｅａｍｂｌｅｅ信号を送信するアンテナの数を表し、
【数３０】
0006824442.tif 000032
はj番目のアンテナを介して送信されたｐｒｅａｍｂｌｅｅ信号の第１角度値を表す。
【００６６】
Ｓ４０７において、アップリンク同期タイミング偏差を決定する。
具体的に、基地局は、第１角度の平均値に基づいてアップリンク同期タイミング偏差を決定する。アップリンク同期タイミング偏差は以下の式を満たす：
【数３１】
0006824442.tif 000033
、
ここで、ＴＡは前記アップリンク同期タイミング偏差を表し、
【数３２】
0006824442.tif 000034
は前記ｐｒｅａｍｂｌｅｅ信号に対してフーリエ変換（ＦＦＴ）を実行するポイント数である。
【００６７】
シナリオ２：前記基地局は、図２に示す周波数ホッピングパターンに基づいて、方式１で各シンボルグループに対応するチャネル推定値に対して共役乗算を実行して第１ラジアン値を得、ここで、Ｍは６である。
【００６８】
図５に示すように、基地局アップリンク同期タイミング偏差を決定するプロセスは以下のステップを含む。
Ｓ５０１において、ＣＰを削除する。
Ｓ５０２において、１/２サブキャリア周波数シフトを行う。
Ｓ５０３において、同期信号復調を行う。
Ｓ５０４において、周波数領域ＡＧＣ処理を行う。
Ｓ５０１ないしＳ５０４は、図４に示すステップＳ４０１ないしステップＳ４０４を参照してもよいため、本発明の実施形態では、ここで重複の説明を省略する。
【００６９】
Ｓ５０５において、細かいタイミング同期。
具体的に、前記基地局は、各シンボルグループ内の周波数領域ＡＧＣ処理後の５つのＯＦＤＭシンボルに対応する周波数領域データの平均値が各シンボルグループに占有された周波数領域チャネルのチャネル推定値であることを決定し、前記ｐｒｅａｍｂｌｅｅ信号の周波数ホッピング間隔が６個のサブキャリアである第１シンボルグループおよび第４シンボルグループのチャネル推定値に対して共役乗算を実行し、および周波数ホッピング間隔が６個のサブキャリアである第２シンボルグループおよび第３シンボルグループのチャネル推定値に対して共役乗算を実行して、２つの共役乗算の結果を合計して第２ラジアン値を得、ここで、第２ラジアン値は以下の式を満たす：
【数３３】
0006824442.tif 000035
、
Rlは第２ラジアン値を表し、y１は第１シンボルグループのチャネル推定値を表し、y２は第２シンボルグループのチャネル推定値を表し、y３は第３シンボルグループのチャネル推定値を表し、y４は表第４シンボルグループのチャネル推定値を表し、
【数３４】
0006824442.tif 000036
は以下の式を満たす：
【数３５】
0006824442.tif 000037
、
ここで、
【数３６】
0006824442.tif 000038
はユーザ機器の残留周波数オフセット値を表し、Tは１つのシンボルグループを送信する時間の長さを表す。
【００７０】
可能な実施形態では、ユーザ機器によって繰り返し送信されたいくつかのｐｒｅａｍｂｌｅ信号を受信するとき、基地局は、以下の方式で細かいタイミング同期を実行する。
Ｃ１：各前記ｐｒｅａｍｂｌｅｅ信号について、基地局によって実行される細かいタイミング同期プロセスは、次の方法で実施できる。
【００７１】
ユーザ機器が異なる周波数ホッピングパターンに基づいてｐｒｅａｍｂｌｅ信号を繰り返し送信する場合、前記ｐｒｅａｍｂｌｅｅ信号は、正のホッピングで、各第２シンボルグループから第３シンボルグループへ周波数ホッピングすることができ、すなわち、第１のシンボルグループから第２シンボルグループに占有された周波数領域チャネルの中心周波数は第３シンボルグループに占有された周波数領域チャネルの中心周波数より小さい。負のホッピングで周波数ホッピングすることもでき、すなわち、第１のシンボルグループから第２シンボルグループに占有された周波数領域チャネルの中心周波数が第３シンボルグループに占有された周波数領域チャネルの中心周波数より大きい。位相の一貫性を確保するために、本発明の実施形態では、いくつかの前記ｐｒｅａｍｂｌｅｅ信号の第２ラジアン値を修正する。
【００７２】
具体的に、いくつかの前記ｐｒｅａｍｂｌｅｅ信号に基づいて、基地局は、正のホッピングで第２シンボルグループから第３シンボルグループへ周波数ホッピングした前記ｐｒｅａｍｂｌｅｅ信号の第２ラジアン値を修正し、修正後の第２ラジアン値は以下の式を満たす：
【数３７】
0006824442.tif 000039
。
または、いくつかの前記ｐｒｅａｍｂｌｅｅ信号に基づいて、基地局は、負のホッピングで、第２シンボルグループから第３シンボルグループへ周波数ホッピングした前記ｐｒｅａｍｂｌｅｅ信号の第２ラジアン値を修正し、本発明の実施形態はこれについて限定しない。
【００７３】
Ｃ２：基地局は、いくつかの前記ｐｒｅａｍｂｌｅ信号の第２ラジアン値のラジアン平均値を決定し、前記ラジアン平均値は以下の式を満たす：
【数３８】
0006824442.tif 000040
、
ここで、
【数３９】
0006824442.tif 000041
はラジアン平均値を表し、
【数４０】
0006824442.tif 000042
はユーザ機器によって繰り返し送信可能回数を表し、
【数４１】
0006824442.tif 000043
はi番目送信したｐｒｅａｍｂｌｅｅ信号の第２ラジアン値を表す。
【００７４】
Ｃ３：基地局は、前記ラジアン平均値を第２角度値に転換し、第２角度値は以下の式を満たす：
【数４２】
0006824442.tif 000044
、
ここで、
【数４３】
0006824442.tif 000045
は第２角度値を表す。
【００７５】
オプションとして、ステップＳ５０５の後、かつＳ５０７の前、ステップＳ５０６を実行する。
Ｓ５０６において、アンテナをマージする。
具体的に、前記複数のアンテナを介してユーザー機器から送信されたいくつかの前記ｐｒｅａｍｂｌｅｅ信号を受信する場合、各前記ｐｒｅａｍｂｌｅｅ信号について、基地局は、各前記ｐｒｅａｍｂｌｅｅ信号に対応する第２角度値を決定して、いくつかの前記ｐｒｅａｍｂｌｅｅ信号の第２角度値の第２角度の平均値を決定し、前記第２角度の平均値は以下の式を満たす：
【数４４】
0006824442.tif 000046
、
ここで、
【数４５】
0006824442.tif 000047
は第２角度の平均値を表し、
【数４６】
0006824442.tif 000048
は、ユーザ機器がｐｒｅａｍｂｌｅｅ信号を送信するアンテナの数を表し、
【数４７】
0006824442.tif 000049
はj番目のアンテナを介して送信されたｐｒｅａｍｂｌｅｅ信号の第２角度値を表す。
【００７６】
Ｓ５０７において、アップリンク同期タイミング偏差を決定する。
具体的に、基地局は、第２角度の平均値に基づいてアップリンク同期タイミング偏差を決定する。アップリンク同期タイミング偏差は以下の式を満たす：
【数４８】
0006824442.tif 000050
、
ここで、ＴＡは前記アップリンク同期タイミング偏差を表し、
【数４９】
0006824442.tif 000051
は前記ｐｒｅａｍｂｌｅｅ信号に対してフーリエ変換（ＦＦＴ）を実行するポイント数である。
【００７７】
シナリオ３：前記基地局は、図２に示す周波数ホッピングパターンに基づいて、方式２で各シンボルグループに対応するチャネル推定値に対して共役乗算を実行して第１ラジアン値を得、ここで、Ｎは６であり、Ｈは６である。
【００７８】
図６に示すように、基地局がアップリンク同期タイミング偏差を決定するプロセスは以下のステップを含む。
Ｓ６０１において、ＣＰを削除する。
Ｓ６０２において、１/２サブキャリア周波数シフトを行う。
Ｓ６０３において、同期信号の復調を行う。
Ｓ６０４において、周波数領域ＡＧＣ処理を行う。
Ｓ６０１ないしＳ６０４は、図４に示すステップＳ４０１ないしステップＳ４０４を参照することができるため、本発明の実施形態では、ここで重複の説明を省略する。
【００７９】
Ｓ６０５において、粗いタイミング同期を行う。
具体的に、前記基地局は、前記ｐｒｅａｍｂｌｅｅ信号内の各シンボルグループを送信することにより占有される周波数領域チャネルのチャネル推定値を決定し、図２に示す周波数ホッピングパターンに基づいて第１角度値
【数５０】
0006824442.tif 000052
を決定する。
【００８０】
図２に示す周波数ホッピングパターンに基づいて第１角度値
【数５１】
0006824442.tif 000053
を決定する場合、図４に示すステップＳ４０５を参照することができ、本発明の実施形態では、ここで重複の説明を省略する。
【００８１】
Ｓ６０６において、細かいタイミング同期を行う。
具体的に、前記基地局は、前記ｐｒｅａｍｂｌｅｅ信号内の各シンボルグループを送信することにより占有される周波数領域チャネルのチャネル推定値を決定し、図２に示す周波数ホッピングパターンに基づいて第２角度値
【数５２】
0006824442.tif 000054
を決定する。
【００８２】
図２に示す周波数ホッピングパターンに基づいて第２角度値
【数５３】
0006824442.tif 000055
を決定する場合、図５に示すステップＳ５０５を参照することができ、本発明の実施形態では、ここで重複の説明を省略する。
【００８３】
ここで、ステップＳ６０５およびＳ６０６の連続的な順序は厳密に定義されていない。Ｓ６０５は、Ｓ６０６の前に実行することができ、またはＳ６０６は、Ｓ６０５の前に実行することができ、またはＳ６０５およびＳ６０６は同時に実行することができ、これは、本発明の実施形態において特に限定されない。
【００８４】
オプションとして、Ｓ６０７は、Ｓ６０６の後かつＳ６０９の前に実行される。
Ｓ６０７において、位相補償を行う。
具体的に、前記基地局は、第１角度値
【数５４】
0006824442.tif 000056
に基づいて第２角度値
【数５５】
0006824442.tif 000057
に対して位相補償を実行し、位相補償後の
【数５６】
0006824442.tif 000058
は以下の式を満たす
【数５７】
0006824442.tif 000059
、
ここで、
【数５８】
0006824442.tif 000060
は位相補償後の
【数５９】
0006824442.tif 000061
を表し、
【数６０】
0006824442.tif 000062
は前記第２ラジアン値を表す。
【００８５】
周波数オフセット推定の精度はアップリンクタイミング同期偏差の決定により大きな影響を与えるため、繰り返し回数が多く、信号対雑音比が低いか、残留周波数オフセットが小さい場合、周波数オフセット補償後のシステム性能は、不正確な周波数オフセット推定のために悪化することに留意する必要がある。したがって、第２角度値
【数６１】
0006824442.tif 000063
に対して位相補償を実行する場合、基地局は主に次の要因を考慮。
【００８６】
a）ユーザー機器がｐｒｅａｍｂｌｅｅ信号を繰り返し送信する回数が第１のしきい値より少ない。
b）基地局によって決定された端末の残留周波数オフセットが第２のしきい値よりも小さい。
c）基地局によって検出されたアップリンク信号対雑音比が第３のしきい値よりも低い。
上述の少なくとも１つの条件が満たされると、基地局は第２角度値
【数６２】
0006824442.tif 000064
に対して位相補償を実行しない。
【００８７】
オプションとして、ステップＳ６０８は、Ｓ６０７の後、Ｓ６０９の前に実行される。
Ｓ６０８において、アンテナをマージする。
具体的に、前記複数のアンテナを介してユーザー機器から送信されたいくつかの前記ｐｒｅａｍｂｌｅｅ信号を受信する場合、基地局は、第１角度の平均値
【数６３】
0006824442.tif 000065
および第２角度の平均値
【数６４】
0006824442.tif 000066
を決定する
【００８８】
第１角度の平均値
【数６５】
0006824442.tif 000067
の決定は、図４に示すステップＳ４０６を参照することができ、本発明の実施形態では、ここで重複の説明を省略する。
【００８９】
第２角度の平均値
【数６６】
0006824442.tif 000068
の決定は、図５に示すステップＳ５０６を参照することができ、本発明の実施形態では、ここで重複の説明を省略する。
【００９０】
Ｓ６０９において、アップリンク同期タイミング偏差を決定する。
具体的に、基地局は、角度の平均値に基づいて、アップリンク同期タイミング偏差を決定し、アップリンク同期タイミング偏差は以下の式を満たす：
【数６７】
0006824442.tif 000069
、
ここで、ＴＡは前記アップリンク同期タイミング偏差を表し、
【数６８】
0006824442.tif 000070
は前記ｐｒｅａｍｂｌｅｅ信号に対してフーリエ変換（ＦＦＴ）を実行するポイント数である。
【００９１】
本発明の実施形態では、基地局は、ユーザ機器からプリアンブル（ｐｒｅａｍｂｌｅｅ）信号を受信し、次に、前記ｐｒｅａｍｂｌｅｅ信号内の各シンボルグループを送信することにより占有される周波数領域チャネルのチャネル推定値を決定し、そして、前記ｐｒｅａｍｂｌｅｅ信号を送信するために使用される周波数ホッピングパターンに基づいて、各シンボルグループに対応するチャネル推定値に対して共役乗算を実行して第１ラジアン値を得、また、前記第１ラジアン値に基づいて、前記ユーザ機器のアップリンク同期タイミング偏差を決定する。ｐｒｅａｍｂｌｅｅ信号の位相差はアップリンク同期タイミング偏差によって引き起こされるため、ｐｒｅａｍｂｌｅ信号の位相差はユーザ機器のアップリンク同期タイミング偏差を反映することができ、基地局がｐｒｅａｍｂｌｅｅシーケンスに対してＦＦＴおよびＩＤＦＴなどの変換処理を実行する従来技術と比較して、本発明の実施形態では、ｐｒｅａｍｂｌｅ信号内の各シンボルグループに対応するチャネル推定値に対して共役乗算を実行して第１ラジアン値を得、前記第１ラジアン値に基づいてｐｒｅａｍｂｌｅｅ信号の位相差を決定することにより、アップリンク同期タイミング偏差を決定する際の精度を高める。
【００９２】
図３に対応する方法の実施形態と同じ発明思想に基づいて、本発明の実施形態に係るアップリンク同期タイミング偏差を決定するための装置７０は、基地局機器に適用することができる。当該装置７０の構造は、図７に示すように、受信モジュール７１および決定モジュール７２を備える。
【００９３】
受信モジュール７１は、ユーザ機器からプリアンブル（ｐｒｅａｍｂｌｅｅ）信号を受信する。
決定モジュール７２は、前記受信モジュール７１によって受信された前記ｐｒｅａｍｂｌｅｅ信号内の各シンボルグループを送信することによって占有された周波数領域チャネルのチャネル推定値を決定し、前記ｐｒｅａｍｂｌｅｅ信号を送信するために使用される周波数ホッピングパターンに基づいて、各シンボルグループに対応するチャネル推定値に対して共役乗算を実行して第１ラジアン値を得、また、前記第１ラジアン値に基づいて、前記ユーザ機器のアップリンク同期タイミング偏差を決定する。
【００９４】
可能な実施形態では、前記決定モジュール７２は、前記ｐｒｅａｍｂｌｅ信号を送信するために使用される周波数ホッピングパターンに基づいて、各シンボルグループに対応するチャネル推定値に対して共役乗算を実行して第１ラジアン値を得る場合、具体的に、
【００９５】
前記周波数ホッピングパターンに基づいて、前記ｐｒｅａｍｂｌｅ信号内の任意の２つの周波数ホッピング間隔がＭ個のサブキャリアであるシンボルグループのチャネル推定値に対して共役乗算を実行して少なくとも２つの結果を得、得られた少なくとも２つの共役乗算の結果を合計して第１ラジアン値を得られた少なくとも２つの共役乗算の結果を合計して第１ラジアン値を得、ここで、前記Ｍは正の整数である。
【００９６】
他の可能な実施形態では、前記決定モジュール７２は、前記ｐｒｅａｍｂｌｅｅ信号を送信するために使用される周波数ホッピングパターンに基づいて、各シンボルグループに対応するチャネル推定値に対して共役乗算を実行して第１ラジアン値を得る場合、具体的に、
Ｄ１：前記周波数ホッピングパターンに基づいて、前記ｐｒｅａｍｂｌｅｅ信号内の任意の２つの周波数ホッピング間隔がＮ個のサブキャリアであるシンボルグループのチャネル推定値に対して共役乗算を実行して少なくとも２つの結果を得、得られた少なくとも２つの共役乗算の結果を合計して、第２ラジアン値を得、ここで、前記Ｎは正の整数である。
【００９７】
Ｄ２：前記周波数ホッピングパターンに基づいて、前記ｐｒｅａｍｂｌｅｅ信号内の任意の２つの周波数ホッピング間隔がＨ個のサブキャリアであるシンボルグループのチャネル推定値に対して共役乗算を実行して少なくとも２つの結果を得、前記ｐｒｅａｍｂｌｅｅ信号内の任意の２つの周波数ホッピング間隔がＨ個のサブキャリアであるシンボルグループのチャネル推定値に対して共役乗算を実行して少なくとも２つの結果を得、得られた少なくとも２つの共役乗算の結果を合計して、第３ラジアン値を得、ここで、前記Ｈは正の整数であり、前記ＮはＨより小さい。
【００９８】
Ｄ３：前記第２ラジアン値と前記第３ラジアン値を合計して前記第１ラジアン値を得る。
【００９９】
オプションとして、前記アップリンク同期タイミング偏は、次の式を満たし、
【数６９】
0006824442.tif 000071
、
ここで、ＴＡは前記アップリンク同期タイミング偏差を表し、
【数７０】
0006824442.tif 000072
は前記第２ラジアン値を変換することによって得られた角度値を表し、
【数７１】
0006824442.tif 000073
は前記第３ラジアン値を変換することによって得られた角度値を表し、
【数７２】
0006824442.tif 000074
は前記ｐｒｅａｍｂｌｅｅ信号に対してフーリエ変換（ＦＦＴ）を実行するポイント数である。
【０１００】
オプションとして、前記装置は、前記決定モジュール７２が前記第１ラジアン値に基づいて前記ユーザ機器のアップリンク同期タイミング偏差を決定する前、前記決定モジュール７２によってい決定された前記第３ラジアン値を変換することによって得られた角度値に対して位相補償を行うための、位相補償モジュール７３をさらに備える。位相補償後の前記第３ラジアン値を変換することによって得られた角度値が次の式を満たす：
【数７３】
0006824442.tif 000075
、
【０１０１】
ここで、
【数７４】
0006824442.tif 000076
は、位相補償後の前記第３ラジアン値を変換することによって得られた角度値を表し、
【数７５】
0006824442.tif 000077
は前記第３ラジアン値を表し、
【数７６】
0006824442.tif 000078
は前記第２ラジアン値を変換することによって得られた角度値を表す。
【０１０２】
オプションとして、前記受信モジュール７１は、前記ユーザ機器によって繰り返し送信されたいくつかの前記ｐｒｅａｍｂｌｅｅ信号を受信する。
【０１０３】
前記決定モジュール７２は、前記ｐｒｅａｍｂｌｅ信号を送信するために使用される周波数ホッピングパターンに基づいて、各シンボルグループに対応するチャネル推定値に対し共役乗算して第１ラジアン値を得た後、繰り返し送信された前記いくつかの前記ｐｒｅａｍｂｌｅｅ信号の前記第１ラジアン値の第１平均値を決定し、前記第１平均値に基づいて前記ユーザ機器のアップリンク同期タイミング偏差を決定する。
【０１０４】
オプションとして、前記受信モジュール７１は、複数のアンテナを介してユーザー機器から送信されたプリアンブル信号を受信する。
【０１０５】
前記決定モジュール７２は、さらに、前記ｐｒｅａｍｂｌｅｅ信号を送信するために使用される周波数ホッピングパターンに基づいて、各シンボルグループに対応するチャネル推定値に対し共役乗算して第１ラジアン値を得た後、複数のアンテナを介して送信された前記ｐｒｅａｍｂｌｅｅ信号の前記第１ラジアン値の第２平均値を決定し、前記第２平均値に基づいてユーザー機器のアップリンク同期タイミング偏差を決定する。
【０１０６】
本発明の実施形態では、基地局は、ユーザ機器からプリアンブル（ｐｒｅａｍｂｌｅｅ）信号を受信し、次に、前記ｐｒｅａｍｂｌｅｅ信号内の各シンボルグループを送信することにより占有される周波数領域チャネルのチャネル推定値を決定し、そして、前記ｐｒｅａｍｂｌｅｅ信号を送信するために使用される周波数ホッピングパターンに基づいて、各シンボルグループに対応するチャネル推定値に対して共役乗算を実行して第１ラジアン値を得、また、前記第１ラジアン値に基づいて、前記ユーザ機器のアップリンク同期タイミング偏差を決定する。ｐｒｅａｍｂｌｅｅ信号の位相差はアップリンク同期タイミング偏差によって引き起こされるため、ｐｒｅａｍｂｌｅ信号の位相差はユーザ機器のアップリンク同期タイミング偏差を反映することができ、基地局がｐｒｅａｍｂｌｅｅシーケンスに対してＦＦＴおよびＩＤＦＴなどの変換処理を実行する従来技術と比較して、本発明の実施形態では、ｐｒｅａｍｂｌｅ信号内の各シンボルグループに対応するチャネル推定値に対して共役乗算を実行して第１ラジアン値を得、前記第１ラジアン値に基づいてｐｒｅａｍｂｌｅｅ信号の位相差を決定することにより、アップリンク同期タイミング偏差を決定する際の精度を高める。
【０１０７】
図３に対応する方法の実施形態と同じ発明思想に基づいて、本発明の実施形態は、基地局機器を提供する。図８に示されるように、基地局機器の構造は、プロセッサ８０１、メモリ８０２および送受信機８０３を備える。
【０１０８】
前記プロセッサ８０１は、メモリ８０２内のプログラムを読み取り、以下のプロセスを実行するように構成される。
送受信機８０３を介して情報を受信および送信し、図３に対応する上記の実施形態で説明した方法を実行する。
送受信機８０３は、プロセッサ８０１の制御下で情報を受信および送信するように構成される。
メモリ８０２は、ソフトウェアプログラムを格納するように構成される。
【０１０９】
図８において、バスアーキテクチャ（バス８００で示す）についえ、バス８００は、いずれ数の相互接続するバス及びブリッジを備える。具体的に、バス８００は、プロセッサ８０１が代表となる１つまたは複数のプロセッサ及びメモリ８０２が代表となるメモリの多様な回路により接続される。バス８００は、外部設備、電圧レギュレーター及び電力管理回路等の他の回路を接続することもできる。これらは、当該分野の周知技術であるため、本発明において、詳細に説明しない。バスインターフェース８０４は、バス８００と送受信機８０３の間にインターフェースを提供する。送受信機８０３は、複数の部品であることができ、即ち、送信機及び受信機を備え、伝送媒体を介して他の装置と通信するユニットを提供する。
【０１１０】
プロセッサ８０１は、バスアーキテクチャ８００の管理及び通常の処理を担当し、さらに、タイミング、周辺インターフェース、電圧調整、電力管理および他の制御機能を含む様々な機能を提供することができる。メモリ８０２は、プロセッサ８０１が動作する際に利用するデータを記憶することができる。
【０１１１】
オプションとして、プロセッサ８０１は、中央処理装置（Ｃｅｎｔｒａｌ  Ｐｒｏｃｅｓｓｉｎｇ  Ｕｎｉｔ，  ＣＰU）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ，  ＡＳIＣ）、フィールドプログラマブルゲートアレイ（Ｆｉｅｌｄ−Ｐｒｏｇｒａｍｍａｂｌｅ  Ｇａｔｅ  Ａｒｒａｙ，  ＦＰＧＡ）または複合プログラマブルロジックデバイス（Ｃｏｍｐｌｅｘ  Ｐｒｏｇｒａｍｍａｂｌｅ  Ｌｏｇｉｃ  Ｄｅｖｉｃｅ，  ＣＰＬＤ）、デジタルシグナルプロセッサ（Ｄｉｇｉｔａｌ  Ｓｉｇｎａｌ  Ｐｒｏｃｅｓｓｉｎｇ，  ＤＳＰ）などであり得る。
【０１１２】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１１３】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１１４】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１１５】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１１６】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１１７】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１１８】
本出願は、２０１７年５月４日に中国特許局に提出し、出願番号が２０１７１０３０９２２９.７であり、発明名称が「アップリンク同期タイミング偏差を決定するための方法および装置」との中国特許出願を基礎とする優先権を主張し、その開示の総てをここに取り込む。
【図１】
0006824442.tif 000095
【図２】
0006824442.tif 000096
【図３】
0006824442.tif 000097
【図４】
0006824442.tif 000098
【図５】
0006824442.tif 000099
【図６】
0006824442.tif 000100
【図７】
0006824442.tif 000101
【図８】
0006824442.tif 000102